(57)【要約】【課題】  本発明は、構造が簡単で極く薄くしたマットを敷設することで人がつまずいて転倒したりすることのない自動ドアなどの反応スイッチ方法とその装置を新規に提供することを課題としている。【解決手段】  本発明は自動ドアに沿う出入口上に下向きのアンテナ、同、出入口下にＩＣタグを含む反応発信用の反応タグを複数枚散在するように埋込んでなる極薄のマットを敷き、該マットを人または物体が踏んで該アンテナ，反応タグ間の反応信号を遮断することにより該自動ドアを自動開きするようにして課題を解決する。【選択図】図１
2013217035.tif 000002
【特許請求の範囲】
【請求項１】
自動ドアに沿う出入口上に下向きのアンテナ、同、出入口下にＩＣタグを含む反応発信用の反応タグを複数枚散在するように埋込んでなる極薄のマットを敷き、該マットを人または物体が踏んで該アンテナ，反応タグ間の反応信号を遮断することにより該自動ドアを自動開きするようにしたことを特徴とするアンテナとマットによる反応スイッチ方法。
【請求項２】
自動ドアの前面上に下向きのアンテナを取付け、同、前面下にＩＣタグを含む反応発信用の反応タグを複数枚散在するように埋込んでなる極薄のマットを敷き、該マットを人または物体が踏んで該アンテナ，反応タグ間の反応信号を遮断することにより該自動ドアを自動開きするようにしたことを特徴とするアンテナとマットによる反応スイッチ装置。
【請求項３】
家屋，工場等の要所にアンテナと反応タグを１セットにして相対配設し、該セット内に人または物体が侵入したときに防犯警報を発信し、または据付け機械を制御するようにした請求項１に記載の方法。
【請求項４】
展示品載置台上の天井にアンテナを下向きに取付け、該展示品載置台上に反応タグを載着して、該展示品載置台上の展示品が載置台から離れたときに警報を発信するようにした請求項１に記載の方法。
【発明の詳細な説明】
【技術分野】
【０００１】
この発明は、アンテナとマットによる自動ドアの開閉などの反応スイッチ方法およびその装置に関するものである。
【背景技術】
【０００２】
本願発明の出願前に発行された実開平７−２１９８０号公報は床材内に段落部ａを形成して、この段落部ａに厚みのあるマットスイッチ１７，２０を敷くことを記載している。
マットスイッチ１７，２０はそれぞれが電気配線でつながったプラスマイナスの電極を空間を置いて対設することによって厚みが生ずるので床材１４に段落部を設けて段差を解消するようにしている。
【先行技術文献】
【特許文献】
【０００３】
【特許文献１】実開平７−２１９８０号公報
【発明の概要】
【発明が解決しようとする課題】
【０００４】
しかしながら、マットスイッチはその形成に電気配線を含んで多くの複雑な工程を要して敷設までに時間がかかり高価となるほか、部厚になるために上記の公報に記載されているように床面に段落部を設けて嵌め敷設しないと人がつまずいて転倒したりするという課題がある。
【課題を解決するための手段】
【０００５】
本発明は、自動ドアに沿う出入口上に下向きのアンテナ、同、出入口下にＩＣタグを含む反応発信用の反応タグを複数枚散在するように埋込んでなる極薄のマットを敷き、該マットを人または物体が踏んで該アンテナ，反応タグ間の反応信号を遮断することにより該自動ドアを自動開きするようにして、かかる課題を解決するようにしたのである。
【発明の効果】
【０００６】
本発明は、マットスイッチを著しく薄くすることができることによってマットは床面に段落等を作らずにそのまま載せ敷きしても人や物がつまずいて転倒したりすることが生じないという効果がある。
【０００７】
マットは反応タグの埋込みによって電力を不要とするので、従来つなげていたリード線などを不要にして設備を単純にして故障のないものにするという効果がある。
【０００８】
犬，猫がマットを踏んでも自動ドアを開かないようにすることが容易にできるという効果がある。
【０００９】
複数の反応タグの反応順序を検知することで人や物体の進行方向などの動きを確認することができるという効果がある。
【００１０】
アンテナと反応タグを１セットにして要所に対設することで防犯に役立てることができるという効果がある。
【図面の簡単な説明】
【００１１】
【図１】第１実施例を示す正面斜視図
【図２】同、側面図
【図３】同、送受信アンテナとマットを左右方向に相対配設した例を示す正面斜視図
【図４】第２実施例を示す正面図
【図５】第３実施例を示し、（ａ）は載置台上に展示品がある通常の状態、（ｂ）は該台上より展示品がなくなり反応の遮断が解けた非常時の状態を示す正面図
【図６】従来例のマット構造を示す断面図
【発明を実施するための形態】
【００１２】
本発明は、自動ドアに沿う出入口上に下向きにて送受信アンテナを取付け、出入口下にアンテナの送信に反応して発信するＩＣタグを含む反応タグを複数枚適当な間隔を置いて散在するように水平埋込みしてなる極薄のマットを敷設し、該マットに人または物体が乗って１乃至複数枚の反応タグ上を踏んでアンテナ向けの反応を遮断することにより、読み取りリーダを経て制御器を作動して自動ドアを開くようにするなどのアンテナとマットによる反応スイッチ方法にある。
反応タグはＩＣタグのほか同質，同効であれば他のタグにかえることもできる。
【実施例１】
【００１３】
図１乃至図２は第１実施例であって、自動ドア１に沿う内外の出入口の上方中間に電磁波を扇形，放射状，斜め方向など一定角の角度指定にて指向性を自在に設定して電磁波を送信することのできる送受信アンテナ２を下向きに取付け、同、下方の床面３上に薄く小さい四角形をした複数枚のＩＣタグ４を一定の間隔を置いて散在するように水平埋込みした極く薄いマット５を敷設し、各ＩＣタグ４の方向に向けてアンテナ２を調整する。人または物体がマット５上に来てＩＣタグ４を踏んでアンテナ２との間の電磁波を遮断すると、アンテナ２につながる読み取りリーダ６、制御器７を経て自動ドア１を開くようにするのである。
【００１４】
人または物体が開放した自動ドア１から室内に入るとアンテナ２とＩＣタグ４間の電磁波の遮断が解けるので自動ドア１は閉じることとなる。
【００１５】
従来は図６に示すように、マット５内に水平に拡がる空間８を設けてそこに上下多数の電極９ａ，９ｂを対設して、電極９ａを踏んで電極９ｂに接触させるとリード線１０を経て自動ドアに開放信号を送って自動ドア１を開くようにしていたので、マット５は部厚となるため、自動ドア１の前面は段差をなくすようにマット５の厚み分の凹みを形成してそこにマット５を嵌込むなどするために敷設に多くの時間と費用を要していたが、本発明は極く薄いＩＣタグ４を散在するように埋込むのみとなるため、マット５は著しく薄く、しかも短時間にて形成し得て、このため凹み段差を形成することなしにリード線などの配線も要せずに単に敷くだけでつまずくことなしに使用することができることとなる。
【００１６】
なお、犬，猫などがマット５上に乗っても自動ドア１が開かないようするために、一定の間隔内の２または３枚のＩＣタグ４を同時に踏んで電磁波を遮断しないと反応しないようにすることもできる。
【００１７】
また間隔を置いた複数のＩＣタグ４の反応順序を識別検知することでマット５上を通過する人や物体の進行方向などの動きを確認することができるようにすることもできる。
【００１８】
ＩＣタグ４はマットに内蔵することで水濡れしたり、ほこりが附着しても作用を減ずることがないから、本発明のマットは電極の接離式マット、赤外線検知システムに較べても維持管理が容易となり、故障も少なく長期間継続して使用することができることとなる。なお、送受信アンテナ２とＩＣタグ４を埋込んだマット５は図３に示すように自動ドア１を挟んだ左右の壁面３ａ，３ｂなどに相対配設することもできる。
【実施例２】
【００１９】
図４は本発明の第２実施例であって、家屋等の要所として、例えば塀１１上の一定区間，入口の両側などに送受信アンテナ２とＩＣタグ４を１セットにして相対配設して、相対配設の区間内に人や物体が入ったときに侵入防止の警報を発するようにする。
【００２０】
また工場などの立入り禁止区域の入口あるいは機械設備の操作位置などに送受信アンテナ２とＩＣタグ４を１セットにして相対配設することにより、立入り禁止区域への侵入防止、マット上にオペレーターがいない状態での機械の作動停止などの用途にも利用することができる。これらの場合、立入りの許可，機械の操作を容認された別個の識別反応タグの携帯と組み合わせることによって安全性，確認精度をより高めることができる。
【実施例３】
【００２１】
図５は本発明の第３実施例であって、展示室内の展示品載置台１２の上方に送受信アンテナ２を下向きに、また直下の載置台１２上の展示品Ａ下にＩＣタグ４を取り付けて、載置台１２上に置いた展示品Ａが持ち去られるなどしてなくなったときに警報を発するようにする。
【００２２】
本発明はいずれの場合にしても送受信アンテナにより常時反応タグを監視して、アンテナと反応タグ間の監視状態が遮断されたときにいわゆるフェールセーフとして作動装置等を制御する反応スイッチとして使用することができるものである。
【産業上の利用可能性】
【００２３】
電磁波の送受信アンテナとＩＣタグを含む反応タグを埋込んだ簡単で薄いマットとにより、自動ドアを長期に亘り安定して開閉することができること、および各種の防犯，安全装置などに役立て得ることで広く利用されるものである。
【符号の説明】
【００２４】
１は自動ドア
２は送受信アンテナ
３は床面
３ａ，３ｂは壁面
４はＩＣタグ
５はマット
６は読み取りリーダ
７は制御器
８は空間
９ａ，９ｂは電極
１０はリード線
１１は塀
１２は展示品載置台
Ａは展示品
【図１】
2013217035.tif 000003
【図２】
2013217035.tif 000004
【図３】
2013217035.tif 000005
【図４】
2013217035.tif 000006
【図５】
2013217035.tif 000007
【図６】
2013217035.tif 000008